(57)【要約】【課題】原稿台を構成するガラス板との間で好ましい接触面積を確保しながらも、ハウジング部材（筐体）の大型化を防止することのできる画像読取装置を提供する。【解決手段】ハウジング部材２５の内部空間を形成する複数の壁面のうち少なくとも一の壁面２５ａに沿って補強フレーム３１が設けられており、この補強フレーム３１が、ハウジング部材２５に固定された際に一の壁面２５ａに沿う壁部３１ａと、壁部３１の上部からハウジング部材２５の内側に向けて折れ曲がり、その上面によって原稿台ガラス２１を支持する支持部３１ｂと、を構成する様に金属板材の加工によって形成されて成る。従って支持部３１ｂによって、ハウジング部材２５の内側に原稿台ガラス２１を支持する為の大型のリブを形成することなく、原稿台ガラス２１との間の接触面積（支持面積）を確保でき、ハウジング部材２５の大型化を回避できる。【選択図】図５
2012199873.tif 000002
【特許請求の範囲】
【請求項１】
原稿が載置される原稿載置面を形成するプレート状部材と、
前記原稿載置面の反対側において前記原稿載置面に載置された原稿を読み取る読み取り手段と、
前記読み取り手段を支持するとともに装置の基体を構成するハウジング部材と、
前記ハウジング部材の内部空間を形成する複数の壁面のうち少なくとも一の壁面に沿って設けられる、少なくとも前記ハウジング部材より強度の高いフレーム部材と、を備え、
前記フレーム部材が、前記ハウジング部材に固定された際に前記一の壁面に沿う壁部と、当該壁部の上部から前記ハウジング部材の内側に向けて延び、その上面によって前記プレート状部材を支持する支持部と、を有している、
ことを特徴とする画像読取装置。
【請求項２】
請求項１に記載の画像読取装置において、前記支持部の上面に対して前記プレート状部材が接着固定されている、
ことを特徴とする画像読取装置。
【請求項３】
請求項１または２に記載の画像読取装置において、前記フレーム部材を構成する前記壁部は、前記ハウジング部材を構成する前記一の壁面の長手方向に渡って適宜の間隔を空けた複数の位置で前記ハウジング部材に対して固定されている、
ことを特徴とする画像読取装置。
【請求項４】
媒体に記録を行う記録部と、
前記記録部の上部に設けられた、請求項１から３のいずれか１項に記載の画像読取装置と、
を備えた記録装置。
【請求項５】
請求項４に記載の記録装置において、前記記録部の本体に対して前記画像読取装置がヒンジを介して取り付けられ、
前記画像読取装置において前記ヒンジは、前記フレーム部材と前記ハウジング部材の双方に対して固定されている、
ことを特徴とする記録装置。
【発明の詳細な説明】
【技術分野】
【０００１】
本発明は、画像読取装置並びに当該画像読取装置を備えた記録装置に関する。
【背景技術】
【０００２】
原稿を読み取る画像読取装置（以下「スキャナ」と言う）においては、原稿を載置する原稿台として多くの場合透明なガラス板が用いられているとともに、このガラス板が、装置の基体を構成するハウジング部材（筐体）に対して取り付け固定されている（特許文献１、２）。
【先行技術文献】
【特許文献】
【０００３】
【特許文献１】特開２００９−２１１０１５号公報
【特許文献２】特開２０００−１３８８０３号公報
【発明の概要】
【発明が解決しようとする課題】
【０００４】
画像読取装置のハウジング部材は、多くの場合樹脂材料によって形成される。そしてガラス板を支持する為のリブが、ハウジング部材の四辺を構成する壁の内側に形成される。このリブは、ガラス板を確実に支持する観点において、ガラス板との間で適度な接触面積が確保される様に大きめに形成されることが好ましい。しかしながらその反面、リブを大きめに形成すると、ハウジング部材内側のイメージセンサーの走査領域と干渉してしまう為、リブを大きめに形成する場合にはハウジング部材の外形寸法を大きくせざるを得ず、小型化の要請に反することとなる。
【０００５】
そこで本発明はこの様な状況に鑑み成されたものであり、その目的は、原稿台を構成するガラス板（プレート状部材）との間で好ましい接触面積を確保しながらも、ハウジング部材（筐体）の大型化を防止することのできる画像読取装置を提供することにある。
【課題を解決するための手段】
【０００６】
上記課題を解決する為の、本発明の第１の態様に係る画像読取装置は、原稿が載置される原稿載置面を形成するプレート状部材と、前記原稿載置面の反対側において前記原稿載置面に載置された原稿を読み取る読み取り手段と、前記読み取り手段を支持するとともに装置の基体を構成するハウジング部材と、前記ハウジング部材の内部空間を形成する複数の壁面のうち少なくとも一の壁面に沿って設けられる、少なくとも前記ハウジング部材より強度の高いフレーム部材と、を備え、前記フレーム部材が、前記ハウジング部材に固定された際に前記一の壁面に沿う壁部と、当該壁部の上部から前記ハウジング部材の内側に向けて延び、その上面によって前記プレート状部材を支持する支持部と、を有していることを特徴とする。
【０００７】
本態様によれば、画像読取装置の基体を構成するハウジング部材の内部空間を形成する複数の壁面のうち少なくとも一の壁面に沿って前記ハウジング部材より高強度のフレーム部材が設けられており、このフレーム部材が、前記ハウジング部材に固定された際に前記一の壁面に沿う壁部と、当該壁部の上部から前記ハウジング部材の内側に向けて延び、その上面によって前記プレート状部材を支持する支持部と、を有しているので、前記支持部によって、前記プレート状部材との間の接触面積（前記プレート状部材を支持する面積）を確保できる。
【０００８】
そして当該支持部の下側が空きスペースとなるので、この空きスペースに前記読み取り手段の移動領域を確保することができる。即ち、プレート状部材との間で好ましい接触面積を確保しながらも、ハウジング部材の大型化を防止することができる。
【０００９】
本発明の第２の態様は、第１の態様において、前記支持部の上面に対して前記プレート状部材が接着固定されていることを特徴とする。  
本態様によれば、前記支持部の上面に対して前記プレート状部材が接着固定されているので、前記フレーム部材と前記プレート状部材とが一体化した上で前記フレーム部材が前記ハウジング部材に固定されることで、アッセンブリ構造として全体の機械的強度向上を図ることができる。
【００１０】
本発明の第３の態様は、第１のまたは第２の態様において、前記フレーム部材を構成する前記壁部は、前記ハウジング部材を構成する前記一の壁面の長手方向に渡って適宜の間隔を空けた複数の位置で前記ハウジング部材に対して固定されていることを特徴とする。
【００１１】
本態様によれば、前記フレーム部材を構成する前記壁部は、前記ハウジング部材を構成する一の壁面の長手方向に渡って適宜の間隔を空けた複数の位置で前記ハウジング部材に対して固定されているので、前記フレーム部材が前記ハウジング部材の補強部材として機能し、前記ハウジング部材の機械的強度向上を図ることができる。
【００１２】
本発明の第４の態様に係る記録装置は、媒体に記録を行う記録部と、前記記録部の上部に設けられた、第１から第３の態様のいずれかに係る画像読取装置と、を備えたことを特徴とする。本態様によれば、記録装置において、上記第１から第３の態様と同様な作用効果を得ることができる。
【００１３】
本発明の第５の態様は、第４の態様において、前記記録部の本体に対して前記画像読取装置がヒンジを介して取り付けられ、前記画像読取装置において前記ヒンジは、前記フレーム部材と前記ハウジング部材の双方に対して固定されていることを特徴とする。
【００１４】
前記記録部の本体に対して前記画像読取装置がヒンジを介して取り付けられているので、前記画像読取装置において前記ヒンジが固定される部分には応力集中が生じ、変形し易い。しかしながら本態様によれば、前記画像読取装置において前記ヒンジが、前記フレーム部材と前記ハウジング部材の双方に対して固定されているので、高強度な前記フレーム部材によって前記応力が負担されることから、前記ヒンジが固定される部位の変形を効果的に防止することができる。
【図面の簡単な説明】
【００１５】
【図１】本発明に係る記録装置を後方上部から見た斜視図。
【図２】本発明に係るスキャナ部の斜視図。
【図３】本発明に係るスキャナ部を構成する下部筐体に補強フレームが取り付けられた状態の斜視図。
【図４】図３の部分拡大斜視図。
【図５】本発明に係るスキャナ部の一部側断面図。
【図６】本発明に係るスキャナ部の一部側断面図。
【図７】本発明に係るスキャナ部の一部側断面図。
【図８】本発明に係るスキャナ部の一部側断面図。
【図９】本発明に係るスキャナ部の一部側断面図。
【図１０】本発明に係るスキャナ部におけるヒンジ取り付け部位の斜視図。
【発明を実施するための形態】
【００１６】
以下、本発明の一実施形態を図面に基づいて説明するが、本発明は、以下説明する実施形態に限定されることなく、特許請求の範囲に記載した発明の範囲内で種々の変形が可能であり、それらも本発明の範囲内に含まれるものであることを前提として、以下本発明の一実施形態を説明するものとする。
【００１７】
図１は本発明に係る記録装置の一実施形態であるインクジェットプリンター５０を後方上部から見た斜視図、図２は本発明に係る画像読取装置の一実施形態であるスキャナ部２０の斜視図、図３はスキャナ部２０の基体を構成するハウジング部材２５にフレーム部材としての補強フレーム３１が取り付けられた状態の斜視図、図４は図３の部分拡大斜視図である。更に、図５〜図９はスキャナ部１０の一部側断面図、図１０はスキャナ部２０におけるヒンジ３７の取り付け部位の斜視図である。尚、図５と図６は、いずれも後方枠部材２６の側でスキャナ部２０を切断した際の断面図であるが、切断位置が異なっている。
【００１８】
図１に示すインクジェットプリンター５０において符号４０は用紙に記録を行う記録部を、符号２０は記録部４０の上部に設けられるスキャナ部を示しており、符号１はスキャナ部２０の上部に設けられる自動原稿搬送装置（オートシートフィーダー）を示している。インクジェットプリンター５０は、これら記録部４０、スキャナ部２０、自動原稿搬送装置１、のこれらにより構成される。
【００１９】
スキャナ部２０は、２つのヒンジ３７を介して記録部４０に連結され、記録部４０に対して開閉（回動）可能に設けられている（符号２０’）。また自動原稿搬送装置１は、３つのヒンジ３８を介してスキャナ部２０に連結され、スキャナ部２０及び記録部４０に対して開閉（回動）可能に設けられている（符号１’）。
【００２０】
スキャナ部２０は、読み取り手段としての読み取りセンサーを備えたセンサーキャリッジ２３（図９）を支持するとともにスキャナ部２０の基体を構成するハウジング部材２５に、各部材が組み付けられて構成されている。ハウジング部材２５は薄箱形状を成し、その内側にセンサーキャリッジ２３の移動領域が形成され、本実施形態においては樹脂成形により形成される。
【００２１】
原稿が載置される原稿載置面２０ａは、上述した様に原稿台ガラス２１の上面で構成されており、原稿載置面２０ａの周囲（四辺）が左枠部材２７、後方枠部材２６、右枠部材２９、前方枠部材２８、のこれら枠部材によって構成されている。即ち原稿載置面２０ａの周囲を構成する枠体は、上記４つの枠部材によって分割されて成る。尚、これら分割された枠部材は、本実施形態において全て樹脂成形により形成されている。
【００２２】
スキャナ部２０においてセンサーキャリッジ２３の読み取り基準位置は、左枠部材２７と後方枠部材２６とが交差する位置（図２において符号Ｑで示す位置）にあり、従って原稿読み取り時には原稿の２辺が左枠部材２７と後方枠部材２６とに接する様に原稿を載置することで、適切な読み取り結果が得られる様になっている。尚、後方枠部材２６が設けられる側がインクジェットプリンター１の装置後方側であり、後方枠部材２６の側に図１のヒンジ３７が設けられている。
【００２３】
自動原稿搬送装置１を介して原稿を読み取る際の読み取り位置は、コの字形状を成す左枠部材２７と、案内シート取付フレーム３０とで区画された枠内（図２において符号２２で示す位置）に設定されており、この枠内には透明な案内シート２２（図９も参照）が配置されている。
【００２４】
ハウジング部材２５において後方枠部材２６の側には、図３及び図４に示す様に当該後方枠部材２６の長手方向に延びる形状を成す補強フレーム３１が配置されている。この補強フレーム３１は、金属板材の折り曲げ加工によって図５、図６に示す様に断面略Ｌ字形状を成す様に形成されており、ハウジング部材２５の内部空間を形成する複数の壁面のうち一の壁面２５ａに沿う壁部３１ａと、この壁部３１ａの上部からハウジング部材２５の内側に向けて折れ曲がって延びる支持部３１ｂと、を有している。
【００２５】
また補強フレーム３１には、壁部３１ａの上部からハウジング部材２５の外側方向に向けて折れ曲がる舌片状の被固定部３１ｃが、補強フレーム３１の長手方向において適宜の間隔を空けて複数形成されており（図４）、この被固定部３１ｃに形成されたねじ穴を介して、図４に示す様に補強フレーム３１がハウジング部材２５にねじ固定される（符号３５は固定ねじを示す）。
【００２６】
一方、ハウジング部材２５には底面から上方に立ち上がる様にリブ２５ｂ〜２５ｅが形成されており、この補強フレーム３１の壁部３１ａは、壁面２５ａと、リブ２５ｂ〜２５ｅとの間に挟まれることによってもハウジング部材２５に対して固定される（図３、図４、図６）。
【００２７】
次に、装置の組立時、補強フレーム３１においてハウジング内側方向に折り曲げられた支持部３１ｂの上面には、両面テープ３３が図４に示す様に貼り付けられ、そしてその上にプレート状部材としての原稿台ガラス２１が載置される。即ち、支持部３１ｂは原稿台ガラス２１を支持する状態となり、また支持部３１ｂの上面において原稿台ガラス２１が接着固定された状態となる。
【００２８】
尚、原稿台ガラス２１は、前方枠部材２８の側では図７に示す様に前方枠部材２８に形成された係止フック２８ａによって、間接的にハウジング部材２５に支持される。また、原稿台ガラス２１は、右枠部材２９の側では図８に示す様にハウジング部材２５に一体的に形成された支持リブ２５ｆによって支持される。更に原稿台ガラス２１は、左枠部材２７の側では図９に示す様に支持フレーム３２に形成された支持片３２ａによって、間接的にハウジング部材２５に支持される。
【００２９】
以上説明した様に、ハウジング部材２５の内部空間を形成する複数の壁面（本実施形態では垂直面に沿った面となる）のうち少なくとも一の壁面２５ａに沿ってハウジング部材２５より高強度の補強フレーム３１が設けられている。この補強フレーム３１は、ハウジング部材２５に固定された際に一の壁面２５ａに沿う壁部３１ａと、壁部３１の上部からハウジング部材２５の内側に向けて延び（折れ曲がり）、その上面によって原稿台ガラス２１を支持する支持部３１ｂと、を構成する様に金属板材の加工によって形成されて成る。従って支持部３１ｂによって、ハウジング部材２５の内側に原稿台ガラス２１を支持する為の大型のリブを形成することなく、原稿台ガラス２１との間の接触面積（支持面積）を確保できる。
【００３０】
そして、特に図５、図６から明かな様に支持部３１ｂの下側が空きスペースとなるので、この空きスペースにセンサーキャリッジ２３の移動領域を確保することができる。以上により、補強フレーム３１によって原稿台ガラス２１との間で好ましい接触面積を確保しながらも、ハウジング部材２５の大型化を防止することができる。
【００３１】
また、支持部３１ｂの上面に対して原稿台ガラス２１が接着固定されるので、支持部３１ｂと原稿台ガラス２１とが一体化した上で支持部３１ｂがハウジング部材２５に固定されることとなり、アッセンブリ構造として全体の機械的強度向上を図ることができる。
【００３２】
更に、補強フレーム３１は、長手方向に渡って適宜の間隔を空けた複数の位置でハウジング部材２５に対して固定されるので、補強フレーム３１がハウジング部材２５の補強部材として機能し、ハウジング部材２５の機械的強度向上を図ることができる。
【００３３】
特に、補強フレーム３１が設けられる側にはヒンジ３７が設けられており、このヒンジ３７をスキャナ部２０に対して固定する固定ねじ３６（図１０）が、本実施形態においてはハウジング部材２５と補強フレーム３１との双方に対して固定されている。これにより、応力集中が生じ易いヒンジ３７の固定部位において、金属材料によって形成された補強フレーム３１によって前記応力が負担されることから、ヒンジ３７の固定部位（特に、ハウジング部材２５）の変形を効果的に防止することができる。尚、ヒンジ３７の下端３７ａは、記録部４０の本体に形成された図示を省略する嵌合穴に差し込まれる様になっている。
【００３４】
その他、本実施形態に係るスキャナ部２０においては、原稿載置面２０ａの周囲（四辺）を構成する枠部材が、左枠部材２７、後方枠部材２６、右枠部材２９、前方枠部材２８、のこれら部材によって分割構成されているので、スキャナ部２０の構成部品としての枠体の大型化を防止でき、これにより成形時の精度管理が容易となる。また、成型後の部品管理も容易となる上に、製品の組立時には組立性が向上し、更に分解時にも一度に多数の固定箇所を外す必要がないので分解作業性が向上する。
【００３５】
また、設計変更に際しては枠体を構成する全ての部材を設計変更することなく、一部の部材を設計変更することで対応することも可能となる為、金型を全て新規に作成することなく、容易に且つ低コストに設計変更に対応することができる。
【００３６】
更に左枠部材２７は、読み取り基準位置Ｑを形成するので、例えば自動原稿搬送装置１に代えて単に原稿載置面２０ａを覆うカバー体を設ける製品バリエーションを設定する際には、後方枠部材２６、右枠部材２９、前方枠部材２８、のこれらはそのままで、左枠部材２７のみを設計変更することで対応できる。これにより、読み取り基準位置Ｑを境にして形状が異なる複数の製品群を容易にラインナップすることができる。
【００３７】
尚、以上説明した補強フレーム３１は、本実施形態ではハウジング部材２５の内部空間を形成する４つの壁面のうち一つの壁面に沿って設けているが、これに限られず、２つの壁面、或いは３つの壁面、或いは全ての壁面に対して設けても良い。また、本実施形態では補強フレーム３１は金属板材によって形成されているが、これに限らず、少なくとも樹脂材料で形成されたハウジング部材２５よりも強度の高い他の材料で形成しても良い。
【符号の説明】
【００３８】
１  自動原稿搬送装置、２０  スキャナ部、２１  原稿台ガラス、２２  案内シート、２３  センサーキャリッジ、２５  ベースフレーム、２６  後方枠部材、２７  左枠部材、２８  前方枠部材、２９  右枠部材、３０  案内シート取付フレーム、３１  補強フレーム、３２  支持フレーム、３３  両面テープ、３５、３６  ねじ、３７、３８  ヒンジ、４０  記録部、５０  インクジェットプリンター、Ｐ  原稿
【図１】
2012199873.tif 000003
【図２】
2012199873.tif 000004
【図３】
2012199873.tif 000005
【図４】
2012199873.tif 000006
【図５】
2012199873.tif 000007
【図６】
2012199873.tif 000008
【図７】
2012199873.tif 000009
【図８】
2012199873.tif 000010
【図９】
2012199873.tif 000011
【図１０】
2012199873.tif 000012